(57)【特許請求の範囲】
【請求項１】
一体に形成された挟持部と把持部とを有する一対の本体が連結部を中心に回動可能に結合され、一対の挟持部の前端縁はほぼ全長に亘って凹のほぼ円弧状をなしており、両本体の間に介在する弾性手段によって両挟持部は閉じる方向に押圧され、把持部によって前記挟持部を開かせる構成のクリップを用いてつけまつ毛を瞼に付ける際に使用されるつけまつ毛の仮置きスタンドであって、
該スタンドは、表面の一部に凸の円弧状表面を有し、
該円弧状表面は、この円弧状表面の円周方向に沿ってつけまつ毛の粘着性基部を粘着するときの適正な粘着位置を示す表示が円弧状表面に表されていると共に、つけまつ毛を粘着するときに、開いた前記クリップの挟持部の間につけまつ毛を入れながらクリップの前端縁を宛がうことができる円弧状表面を有していることを特徴とするつけまつ毛の仮置きスタンド。
【請求項２】
粘着するときの適正な粘着位置を示す表示は、円弧状表面の円周方向に延在する条溝である請求項１記載のスタンド。
【請求項３】
条溝の断面は三角形であり、その三角形を構成する２つの斜面は一方の斜面の傾斜角が他方の斜面の傾斜角よりも大きく形成されている請求項２記載のスタンド。
【請求項４】
つけまつ毛の仮置きスタンドを使用してつけまつ毛挟持クリップでつけまつ毛を瞼に付ける方法において、
スタンドは、つけまつ毛の粘着性基部を粘着するときの適正な粘着位置を示す表示が円弧状表面に表されており、その適正な粘着位置を示す表示に沿ってつけまつ毛をスタンドの円弧状表面に粘着し、そして、
つけまつ毛挟持クリップは、一体に形成された挟持部と把持部とを有する一対の本体が連結部を中心に回動可能に結合され、一対の挟持部の前端縁はほぼ全長に亘って凹のほぼ円弧状をなしており、両本体の間に介在する弾性手段によって両挟持部は閉じる方向に押圧され、把持部によって前記挟持部を開かせる構成であり、このつけまつ毛挟持クリップの開いた挟持部の間につけまつ毛を入れながらクリップの前端縁を前記適正な粘着位置を示す表示に沿った表面に宛がい、次いで挟持部を閉じてつけまつ毛を挟持しスタンドから外し、
クリップに挟持したつけまつ毛の粘着性基部を瞼に宛がって貼り付けた後、挟持部を開いてクリップを取り去ることを特徴とするつけまつ毛を瞼に付ける方法。
【発明の詳細な説明】
【０００１】
【発明の属する技術分野】
本発明は、つけまつ毛を皮膚に付けるときに用いる補助具であって、つけまつ毛を保持するためのクリップ及びつけまつ毛を仮置きするためのスタンドに関する。
【０００２】
【従来の技術】
従来、つけまつ毛を皮膚に付けるときは、つけまつ毛ケ−スからつけまつ毛を指先で摘んで取り出し、剥離紙を剥がして粘着剤を露出させ皮膚に貼り付けていた。
【０００３】
【発明が解決しようとする課題】
つけまつ毛を皮膚に付ける方法は上述した通りであって、つけまつ毛を指先で摘むとつけまつ毛の形が崩れるので皮膚に付けるときに非常に手間がかかっていた。そこで本発明は、つけまつ毛を付けるときにつけまつ毛の形を崩すことなく、誰でも容易につけまつ毛を付けることができる補助具を提供することを目的とする。
【０００４】
【課題を解決するための手段】
本発明は、つけまつ毛を瞼に付けるときにつけまつ毛を挟持するためのクリップと、クリップで挟持するよりも前につけまつ毛の形を整えて仮置きするためのスタンドとから成る。
【０００５】
請求項１は、一体に形成された挟持部と把持部とを有する一対の本体が連結部を中心に回動可能に結合され、一対の挟持部の前端縁はほぼ全長に亘って凹のほぼ円弧状をなしており、両本体の間に介在する弾性手段によって両挟持部は閉じる方向に押圧され、把持部によって前記挟持部を開かせる構成のクリップを用いてつけまつ毛を瞼に付ける際に使用されるつけまつ毛の仮置きスタンドであって、該スタンドは、表面の一部に凸の円弧状表面を有し、該円弧状表面は、この円弧状表面の円周方向に沿ってつけまつ毛の粘着性基部を粘着するときの適正な粘着位置を示す表示が円弧状表面に表されていると共に、つけまつ毛を粘着するときに、開いた前記クリップの挟持部の間につけまつ毛を入れながらクリップの前端縁を宛がうことができる円弧状表面を有している。
【０００６】
請求項２は、粘着するときの適正な粘着位置を示す表示が、円弧状表面の円周方向に延在する条溝である要素が請求項１に限定的に付加された構成である。
【０００７】
請求項３は、条溝の断面が三角形であり、その三角形を構成する２つの斜面は一方の斜面の傾斜角が他方の斜面の傾斜角よりも大きく形成されている要素が請求項２に限定的に付加された構成である。
【０００８】
請求項４は、つけまつ毛の仮置きスタンドを使用してつけまつ毛挟持クリップでつけまつ毛を瞼に付ける方法において、スタンドは、つけまつ毛の粘着性基部を粘着するときの適正な粘着位置を示す表示が円弧状表面に表されており、その適正な粘着位置を示す表示に沿ってつけまつ毛をスタンドの円弧状表面に粘着し、そして、  つけまつ毛挟持クリップは、一体に形成された挟持部と把持部とを有する一対の本体が連結部を中心に回動可能に結合され、一対の挟持部の前端縁はほぼ全長に亘って凹のほぼ円弧状をなしており、両本体の間に介在する弾性手段によって両挟持部は閉じる方向に押圧され、把持部によって前記挟持部を開かせる構成であり、このつけまつ毛挟持クリップの開いた挟持部の間につけまつ毛を入れながらクリップの前端縁を前記適正な粘着位置を示す表示に沿った表面に宛がい、次いで挟持部を閉じてつけまつ毛を挟持しスタンドから外し、  クリップに挟持したつけまつ毛の粘着性基部を瞼に宛がって貼り付けた後、挟持部を開いてクリップを取り去る方法である。
【０００９】
【発明の効果】
本発明は以上のような構成であり、請求項１は、一対の挟持部の前端縁はほぼ全長に亘って凹のほぼ円弧状をなしているクリップを用いてつけまつ毛を瞼に付ける際に使用されるつけまつ毛の仮置きスタンドであって、該スタンドは、表面の一部に凸の円弧状表面を有し、該円弧状表面は、この円弧状表面の円周方向に沿ってつけまつ毛の粘着性基部を粘着するときの適正な粘着位置を示す表示が円弧状表面に表されていると共に、つけまつ毛を粘着するときに、開いた前記クリップの挟持部の間につけまつ毛を入れながらクリップの前端縁を宛がうことができる円弧状表面を有している。したがって、つけまつ毛を瞼に付けるときに、まずつけまつ毛の基部をスタンドの円弧状表面に貼り付けて仮置きし、その後で、開いた挟持部の間につけまつ毛を入れながらクリップの前端縁を円弧状表面に宛てがい、次いで、挟持部を閉じてつけまつ毛を挟持しスタンドから外す。そして、クリップに挟持したつけまつ毛の粘着性基部を瞼に宛がって貼り付けてから、挟持部を開いてクリップを取り去ることによってつけまつ毛を簡単に瞼に付けることができる。
【００１０】
請求項２は、粘着するときの適正な粘着位置を示す表示が、円弧状表面の円周方向に延在する条溝である。したがって、条溝内に形成される２つの斜面の断面形状はそれぞれ三角形の斜辺と同様に直線をなすから、つけまつ毛の粘着性基部を容易に粘着することができる
【００１１】
請求項３は、条溝の断面が三角形であり、その三角形を構成する２つの斜面は一方の斜面の傾斜角が他方の斜面の傾斜角よりも大きく形成されている。したがって、スタンド表面に対して傾斜角の小さな斜面は幅が広く、傾斜角の大きな斜面よりもスタンド表面を向いているので、つけまつ毛を斜面に粘着するときに指先で押して付けることができる。また、粘着されたつけまつ毛とスタンド表面との角度が、実際に瞼に付けたときの瞼とつけまつ毛との角度とほぼ同じになるので、つけまつ毛をクリップではさんでそのまま瞼に付ければよいので取扱が容易であるという効果を奏する。仮につけまつ毛を傾斜角の大きな斜面に仮置きしようとすると、傾斜角の大きな斜面はスタンド表面に対して垂直に近いから、指先で押してもその力がこの斜面に加わらないので、つけまつ毛をスタンドに仮置きするときに手間がかかってしまうのである。また、その場合のつけまつ毛とスタンド表面の角度は実際に貼り付けたつけまつ毛と瞼の角度とかなり異なっているので、つけまつ毛を瞼に付ける作業に手間がかかってしまうのである。
【００１２】
請求項４は、つけまつ毛の仮置きスタンドを使用してつけまつ毛挟持クリップでつけまつ毛を瞼に付ける方法において、スタンドは、つけまつ毛の粘着性基部を粘着するときの適正な粘着位置を示す表示が円弧状表面に表されており、その適正な粘着位置を示す表示に沿ってつけまつ毛をスタンドの円弧状表面に粘着し、そして、  つけまつ毛挟持クリップは、一体に形成された挟持部と把持部とを有する一対の本体が連結部を中心に回動可能に結合され、一対の挟持部の前端縁はほぼ全長に亘って凹のほぼ円弧状をなしており、両本体の間に介在する弾性手段によって両挟持部は閉じる方向に押圧され、把持部によって前記挟持部を開かせる構成であり、このつけまつ毛挟持クリップの開いた挟持部の間につけまつ毛を入れながらクリップの前端縁を前記適正な粘着位置を示す表示に沿った表面に宛がい、次いで挟持部を閉じてつけまつ毛を挟持しスタンドから外し、  クリップに挟持したつけまつ毛の粘着性基部を瞼に宛がって貼り付けた後、挟持部を開いてクリップを取り去る方法である。したがって、つけまつ毛を瞼に付けるときに、まずつけまつ毛の基部をスタンドの円弧状表面に貼り付けて仮置きし、その後で、開いた挟持部の間につけまつ毛を入れながらクリップの前端縁を円弧状表面に宛てがい、次いで、挟持部を閉じてつけまつ毛を挟持しスタンドから外す。そして、クリップに挟持したつけまつ毛の粘着性基部を瞼に宛がって貼り付けてから、挟持部を開いてクリップを取り去ることによってつけまつ毛を簡単に瞼に付けることができる。
【００１３】
【発明の実施の形態】
次に、本発明の実施の形態について説明する。図１はクリップ２２とスタンド１６の使用状態を示すものであって、図２から図５がクリップに関する図である。上側本体１と下側本体２は共にプラスチックで比較的薄く形成され、前端から後端に亘って上側に凸の円弧状に形成されている。両本体のそれぞれの挟持部３，４と把持部２５，２６の境の内面にはそれぞれ一対の連結片３，４が一体に設けられ結合ピン５によって両本体１，２は回動可能に結合されている。上側本体の把持部２５は下側に凸の円弧状に反っていて後端が跳ね上がった形状をなしている。ピン５にはコイルスプリング６が巻かれていて、両本体の挟持部７，８を閉じる方向に付勢している。このクリップ２２は把持部２５，２６によって挟持部７，８を開かせる構成であるから、つけまつ毛をクリップで挟持しているときは把持部２５，２６に力を加える必要がないから、つけまつ毛を瞼に付ける作業がし易い。
【００１４】
両挟持部７，８の前端部９，１０はエラストマ−により形成されており、本体との間に段差１１，１２を設けることによってやや本体よりも高く設定されている。段差はほぼ１ｍｍあるいはそれよりやや小さな数値であることが好ましい。段差を設けることによって、前端部９，１０が閉じられたときに、この前端部よりも後方には隙間１３が生じる。
【００２３】
両挟持部の前端縁１４，１５は共に凹の円弧状をなしている。この円弧状の曲率半径は人間の瞼の表面の曲率半径とほぼ同じであることが好ましい。そして、下側本体の前端縁１５は上側本体の前端縁１４よりもやや後退している。後退の度合いはほぼ１ｍｍあるいはそれよりやや小さな数値であることが好ましい。
【００１５】
図６から図９がスタンドに関する図である。スタンド１６はプラスチックの一体成型であって、つけまつ毛２１を仮置きするための円弧状表面１７は上向きである。円弧状表面１７の円周方向に沿って一対の条溝１８，１８が両側面部１９，１９の近くに設けられている。条溝は３以上設けてもよく単一でもよい。条溝１８，１８の断面形状は三角形であって、三角形を構成する２つの斜面中、側面部１９に近い斜面２０，２０の円弧状表面１７に対する傾斜角は他方の斜面よりも小さく形成されている。通常はこの斜面２０，２０につけまつ毛２１の粘着性基部を貼り付けて仮置きする。条溝１８，１８以外の表面につけまつ毛を仮置きしてもよいことは勿論である。また、条溝１８，１８の代用として円弧状表面１７に線を描いてもよいし点線であってもよい。条溝の長さはつけまつ毛２１の基部の長さだけあればよいが、好ましくはそれよりやや長めである方が使い易い。また、円弧状表面１７及び条溝１８の表面はつや消し程度の粗面が好ましい。粘着しているつけまつ毛２１取外し易いからである。条溝１８のみ粗面であってもよい。
【００１６】
次に、本発明の使用方法について説明する。まず、つけまつ毛２１の粘着性基部を覆っている剥離紙を剥がしてその基部を条溝の斜面２０に貼り付けて仮置きする。その後で、図１に示したように上側本体の把持部２５に人差指２３を宛がい下側本体の把持部２６に親指２４を宛がってクリップ２２を持ち挟持部７，８を開く。その開いた挟持部７，８の間につけまつ毛２１を入れながらクリップ２２の前端縁１４，１５を円弧状表面１７の条溝１８に沿った表面に宛てがう。次いで、挟持部７，８を閉じてつけまつ毛２１を挟持しスタンド１６から外す。上側本体の前端縁１４はつけまつ毛の基部にかなり接近するので、下側本体の前端縁１５がつけまつ毛の下側を向いている粘着性基部に触れそうになるが、下側本体の前端縁１５は上側本体の前端縁１４よりも後退しているから下側本体の前端縁１５がその粘着性基部に触れることはない。
【００１７】
クリップ２２に挟持したつけまつ毛２１の粘着性基部を瞼に宛がって貼り付けてから、挟持部７，８を開いてクリップを取り去る。これによって、つけまつ毛を簡単に瞼に付けることができる。
【図面の簡単な説明】
【図１】  本発明の使用状態を示す正面図
【図２】  クリップの正面図
【図３】  クリップの下面図
【図４】  クリップの断面図
【図５】  クリップの前端部の断面図
【図６】  スタンドの正面図
【図７】  スタンドの上面図
【図８】  スタンドの側面図
【図９】  スタンドにつけまつ毛を仮置きした状態を示す断面図
【符号の説明】
１  上側本体
２  下側本体
３  連結片
４  連結片
５  結合ピン
６  コイルスプリング
７  挟持部
８  挟持部
９  前端部
１０  前端部
１１  段差
１２  段差
１３  隙間
１４  前端縁
１５  前端縁
１６  スタンド
１７  円弧状表面
１８  条溝
１９  側面部
２０  斜面
２１  つけまつ毛
２２  クリップ
２３  人差指
２４  親指
２５  把持部
２６  把持部
【図１】
0003718640.tif 000002
【図２】
0003718640.tif 000003
【図３】
0003718640.tif 000004
【図４】
0003718640.tif 000005
【図５】
0003718640.tif 000006
【図６】
0003718640.tif 000007
【図７】
0003718640.tif 000008
【図８】
0003718640.tif 000009
【図９】
0003718640.tif 000010